(57)【要約】【課題】ファンとファンモータユニットを保持する支持枠の強度を損なわず、ファンとファンモータユニットを容易に支持枠に保持させることができる空調室内機を提供する。【解決手段】ファン７１の回転によって室内熱交換器５０で熱交換された空気を室内へ吹き出す空調室内機２であって、支持枠７８と、ファンモータユニット７２と、外周保持板８１とを備えている。支持枠７８は、ファン７１の羽部７１４の背面側および下方を囲む。ファンモータユニット７２は、ファン７１を回転させる。外周保持板８１は、ファンモータユニット７２の外周を支持枠７８の保持部７８８とで挟んで保持し、一端が支持枠７８と互いに係合し、他端が支持枠７８に固定される。【選択図】図７
2008089197.tif 000002
【特許請求の範囲】
【請求項１】
ファン（７１）の回転によって室内熱交換器（５０）で熱交換された空気を室内へ吹き出す空調室内機であって、
前記ファン（７１）の羽部（７１４）の背面側および下方を囲む支持枠（７８）と、
前記ファン（７１）を回転させるファンモータユニット（７２）と、
前記ファンモータユニット（７２）の外周を前記支持枠（７８）の保持部（７８８）とで挟んで保持し、一端が前記支持枠（７８）と互いに係合し、他端が前記支持枠（７８）に固定される外周保持板（８１）と、
を備えた空調室内機（２）。
【請求項２】
前記外周保持板（８１）は、前記保持部（７８８）に保持されていない側の前記ファンモータユニット（７２）の外周に沿うように略円弧状に形成されている、
請求項１に記載の空調室内機（２）。
【請求項３】
前記外周保持板（８１）の一端には前記支持枠（７８）と互いに引っ掛かり合う引掛け部（８１ａ）が形成され、前記外周保持板（８１）の他端には前記支持枠（７８）とネジ締結される取付け穴（８１ｂ）が形成されている、
請求項１に記載の空調室内機（２）。
【請求項４】
前記支持枠（７８）には、前記引掛け部（８１ａ）が差し込まれる開口（７８６ａ）が設けられており、
前記引掛け部（８１ａ）が、前記開口（７８６ａ）の縁と引っ掛かり合う、
請求項３に記載の空調室内機（２）。
【請求項５】
前記ファンモータユニット（７２）は、外周から突出する穴付位置決め部（７３６）を有し、
前記支持枠（７８）は、前記穴付位置決め部（７３６）が差し込まれる柱状差込部（７８２）を有し、
前記穴付位置決め部（７３６）と、前記柱状差込部（７８２）と、前記外周保持板（８１）の前記取付け穴（８１ｂ）とが１つのネジで締結される、
請求項１に記載の空調室内機（２）。
【発明の詳細な説明】
【技術分野】
【０００１】
本発明は、ファンを回転させて室内熱交換器で熱交換された空気を室内へ吹き出す空調室内機に関する。
【背景技術】
【０００２】
従来の空調室内機は、ファン及びファンモータユニットを支持する支持枠の強度がファンモータユニットの保持構造によって確保されているという特徴を有していた（例えば、特許文献１参照）。これは、ファンモータユニットの保持部材が支持枠のコーナーに結合されているため、結果的に支持枠コーナーの内角が伸縮できない構成になっているからである。
【特許文献１】特開２００３−２５４５５０号公報
【発明の開示】
【発明が解決しようとする課題】
【０００３】
ところが、上記の構成では、ファンモータユニットを支持枠のコーナーに配置してからファンとファンモータユニットを連結させなければならないので、作業効率が悪く製造コスト高騰の要因となっていた。
【０００４】
本発明の課題は、ファンとファンモータユニットを保持する支持枠の強度を損なわず、且つファンとファンモータユニットを容易に支持枠に保持させることができる空調室内機を提供することにある。
【課題を解決するための手段】
【０００５】
第１発明に係る空調室内機は、ファンの回転によって室内熱交換器で熱交換された空気を室内へ吹き出す空調室内機であって、支持枠と、ファンモータユニットと、外周保持板とを備えている。支持枠は、ファンの羽部の背面側および下方を囲む。ファンモータユニットは、ファンを回転させる。外周保持板は、ファンモータユニットの外周を支持枠の保持部とで挟んで保持し、一端が支持枠と互いに係合し、他端が支持枠に固定される。
【０００６】
この空調室内機では、支持枠コーナーの保持部の内角を広げる方向又は縮める方向の外力が作用しても、外周保持板が支持枠の保持部の変形を阻止する。このため、保持部の亀裂、損傷が防止される。
【０００７】
第２発明に係る空調室内機は、第１発明に係る空調室内機であって、外周保持板が、支持枠コーナーの保持部に保持されていない側のファンモータユニットの外周に沿うように略円弧状に形成されている。
【０００８】
この空調室内機では、外周保持板の長手方向に作用する引張力又は圧縮力に対して、外周保持板自身が弾性変形する。その結果、内部応力の一点集中が防止される。このため、引張力又は圧縮力の繰返しに対する耐久力があり、搬送および組立時に作用する外力に対して信頼性が高い。
【０００９】
第３発明に係る空調室内機は、第１発明に係る空調室内機であって、外周保持板の一端には支持板と互いに引っ掛かり合う引掛け部が形成され、外周保持板の他端には支持板とネジ締結される取付け穴が形成されている。
【００１０】
この空調室内機では、作業者が、外周保持板の一端をネジ締結するだけで、外周保持板の前後、左右、上下の移動を制限することができる。このため、組立作業性がよい。
【００１１】
第４発明に係る空調室内機は、第３発明に係る空調室内機であって、支持枠には、引掛け部が差し込まれる開口が設けられており、引掛け部が開口の縁と引っ掛かり合う。
【００１２】
この空調室内きでは、開口の縁が引掛け部の相手側として利用されているので、構造が簡単であり製造コストが低減される。
【００１３】
第５発明に係る空調室内機は、第１発明に係る空調室内機であって、ファンモータユニットは、外周から突出する穴付位置決め部を有する。支持枠は、穴付位置決め部が差し込まれる柱状差込部を有する。穴付位置決め部と、柱状差込部と、外周保持板の取付け穴とが１つのネジで締結される。
【００１４】
この空調室内機では、１回のネジ締結によって、支持枠、ファンモータユニット、および外周保持板の連結が完了する。このため、作業数が減少し製造コストが低減される。
【発明の効果】
【００１５】
第１発明に係る空調室内機では、支持枠コーナーの保持部の内角を広げる方向又は縮める方向の外力が作用しても、外周保持板が保持部の変形を阻止する。このため、保持部の亀裂、損傷が防止される。
【００１６】
第２発明に係る空調室内機では、外周保持板の長手方向に作用する引張力又は圧縮力に対して、外周保持板自身が弾性変形する。その結果、内部応力の一点集中が防止され、引張力又は圧縮力の繰返しに対する耐久性が高まる。
【００１７】
第３発明に係る空調室内機では、作業者が、外周保持板の一端をネジ締結するだけで、外周保持板の前後、左右、上下の移動を制限することができる。このため、組立作業性がよい。
【００１８】
第４発明に係る空調室内きでは、開口の縁が引掛け部の相手側として利用されているので、構造が簡単であり製造コストが低減される。
【００１９】
第５発明に係る空調室内機はでは、１回のネジ締結によって、支持枠、ファンモータユニット、および外周保持板の連結が完了する。このため、作業数が減少し製造コストが低減される。
【発明を実施するための最良の形態】
【００２０】
＜空気調和装置の全体構成＞
図１は、空気調和装置の外観図である。空気調和装置１は、調和された空気を室内に供給するための装置であり、室内の壁面などに取付けられる空調室内機２（これ以降、室内機２とよぶ）と、室外に設置される空調室外機３（これ以降、室外機３とよぶ）とを備えている。室内機２と室外機３とは、冷媒配管４によって結ばれており冷媒の流通が可能である。
【００２１】
＜空気調和装置の冷媒回路の概略構成＞
図２は、空気調和装置の冷媒回路の構成図である。冷媒回路は、アキュムレータ３１、圧縮機３２、四路切換弁３３、室外熱交換器３０、電動膨張弁３４および室内熱交換器５０で形成されている。
【００２２】
室内熱交換器５０は、室内機２内に配置されており、室内空気との間で熱交換を行う。また、室内機２には、ファン７１と室内ファンモータユニット７２とが設けられている。ファン７１は、室内空気を吸い込み室内熱交換器５０で熱交換された空気を室内に排出する。室内ファンモータユニット７２は、ファン７１を回転させる。
【００２３】
アキュムレータ３１、圧縮機３２、四路切換弁３３、室外熱交換器３０および電動膨張弁３４は室外機３内に配置されている。アキュムレータ３１は、圧縮機３２の吸入側に接続され、四路切換弁３３は、圧縮機３２の吐出側に接続されている。
【００２４】
また、室外機３には、プロペラファン３８と室外ファンモータユニット３９とが設けられている。プロペラファン３８は、室外熱交換器３０で熱交換された空気を外部に排出する。室外ファンモータユニット３９は、プロペラファン３８を回転させる。
【００２５】
＜室内機の構成＞
図３は、空気調和装置の室内機の右側面断面図である。
【００２６】
（上部ケーシング）
上部ケーシング６は、室内機２の上部を覆っている。この上部ケーシング６には、吸込口６０，６１が設けられている。室内熱交換器５０は、ファン７１の円周面に対向して配置されており、ファン７１の前方、上方および後方を取り囲むように取付けられている。室内熱交換器５０では、ファン７１を回転させることで、吸込口６０，６１から吸い込まれた空気と、冷媒との間で熱交換が行われている。
【００２７】
（下部ケーシング）
下部ケーシング７０は、外面部７９、支持枠７８等によって構成されている。外面部７９は、正面視において室内機２の外面として視野に現れる部分である。また、外面部７９には、室内機２の長手方向に沿う開口からなる吹出口７４１が設けられている。図３に示すように、吹出口７４１は、ファン７１が収納された内部空間に連通している。この吹出口７４１から、ファン７１によって生成された空気流が室内へと吹き出される。また、吹出口７４１には、吹き出される空気流を案内する水平フラップ７４２が設けられている。水平フラップ７４２は、室内機２の長手方向に平行な軸を中心に回動自在に設けられている。この水平フラップ７４２は、フラップモータ（図示せず）によって回転駆動され、吹出口７４１を開閉することができる。
【００２８】
（送風ユニット）
図４は、送風ユニットの概略平面図である。送風ユニット８は、ファン７１と、ファン７１を回転させるための室内ファンモータユニット７２とを有している。ファン７１は、ＡＳ樹脂などの樹脂材料で、長細い円筒形状に形成されており、長軸が水平になるように配置される。
【００２９】
（ファン）
図５は、支持枠に組立てられたファン及び室内ファンモータユニットの断面図である。また、ファン７１は、エンドプレート７１０，７１１と、第１シャフト７１２と、第２シャフト７１３と、羽部７１４とを有している。エンドプレート７１０，７１１は、羽部７１４の両側に設けられている。エンドプレート７１０は、ファン７１と後述の回転子７１９とを連結するために、回転子７１９と一体に形成されている。第１シャフト７１２はエンドプレート７１０の回転軸線上に配置され、エンドプレート７１０に連結されている。第２シャフト７１３はエンドプレート７１１の回転軸線上に配置され、エンドプレート７１１に連結されている。これら第１シャフト７１２と第２シャフト７１３とは、ファン７１が回転する際の回転軸となる。
【００３０】
（室内ファンモータユニット）
室内ファンモータユニット７２は、アウターロータ型のモータであり、回転子７１９と固定子組立体７２０とを有している。
【００３１】
回転子７１９は、微小な磁石粒を含む樹脂材料により形成されており、固定子組立体７２０の固定子７２１から発生する磁力により回転する。なお、回転子７１９は、固定子７２１の径方向外側に配置されている。
【００３２】
図６は、固定子組立体の分解斜視図である。図６に示すように、固定子組立体７２０は、固定子７２１と、固定子ハウジング７３１と、防振ゴム７７と、固定子軸受７５とから成る。固定子７２１は、軸方向に突出する円柱部７２２と、円柱部７２２の径方向外側に突出した突出部７２３とを有する。
【００３３】
円柱部７２２は、磁界を発生させるための鉄心（図示せず）やコイル（図示せず）などを収納しており、回転子７１９の内周面と一定の隙間を保って配置される（図５参照）。突出部７２３には、防振ゴム７７が装着される。固定子７２１は、中央に軸方向に貫通する軸受穴７２４を有している。
【００３４】
図６に示すように、固定子ハウジング７３１は、固定子ケース７３２と固定子カバー７３９とから成る。固定子ケース７３２は、円筒部７３３と円筒部７３４とを有する。また、図５で示すように、円筒部７３３内には、固定子７２１の円柱部７２２が配置されており、その円柱部７２２の外周面と円筒部７３３の内周面との間には所定の空間７３３ａが確保されている。この空間７３３ａには、回転子７１９が差し込まれるが、回転子７１９の外周面と円筒部７３３の内周面とは一定の隙間が確保されている。
【００３５】
固定子カバー７３９は、中央に確認穴７３９ａを有する。確認穴７３９ａは、固定子７２１の軸受穴７２４よりも内径が大きい。このため、固定子軸受７５が、固定子７２１の軸受穴７２４へ挿入されたとき、固定子軸受７５が、軸受穴７２４に正確に嵌合しているか否かが、外側から確認される。
【００３６】
（軸受）
図５に示すように、固定子軸受７５は、ファン７１の第１シャフト７１２を支持する部材であり、軸受部７５１と軸受保持部７５２とから成る。
【００３７】
軸受部７５１は、合成樹脂で形成されており、固定子７２１のほぼ中央部に配置される。軸受保持部７５２は、ゴム材料で円筒形状に形成されており、ファン７１の回転による軸受部７５１の微小振動を抑制するため軸受部７５１を包み込むように支持している。
【００３８】
ファン軸受７６は、ファン７１の第２シャフト７１３を支持する軸受であり、軸受部７６１と軸受保持部７６２とから成る。
【００３９】
軸受部７６１は、合成樹脂で形成されており、ファン７１のエンドプレート７１１と対向する支持枠７８の一部に設けられる。軸受保持部７６２は、ゴム材料で円筒形状に形成されており、ファン７１の回転による軸受部７６１の微小振動を抑制するために軸受部７６１を包み込むように支持している。
【００４０】
＜固定子組立体の組立＞
ここでは、図６を参照しながら固定子組立体７２０の組立方法を説明する。先ず、作業者は、固定子７２１の３つの突出部７２３に、防振ゴム７７の振動吸収体７７１，７７２，７７３を装着する。
【００４１】
次に、作業者は、固定子７２１を固定子ケース７３２内の円筒部７３４側から円筒部７３３側に向かって挿入する。このとき、振動吸収体７７１，７７２，７７３は、円筒部７３４の仕切７３４ａに沿うように位置決めされ、振動吸収体７７１，７７２，７７３が、固定子ケース７３２の段差７３５に当るまで挿入される。
【００４２】
次に、作業者は、固定子カバー７３９を固定子ケース７３２の円筒部７３４側から固定子ケース７３２の内部に向かって挿入する。このとき、固定子カバー７３９の連結爪７３９ｄ，７３９ｅは、固定子ケース７３２の爪穴７３２ｄ，７３２ｅに嵌るところまで挿入される。
【００４３】
次に、作業者は、固定子軸受７５を固定子７２１の円柱部７２２側から軸受穴７２４内部に向かって挿入する。なお、固定子軸受７５が軸受穴７２４に確実に挿入されたか否かを確認するため、作業者は、固定子カバー７３９の確認穴７３９ａから、軸受穴７２４に固定子軸受７５が正確に嵌合していることを目視する。
【００４４】
＜固定子組立体の支持枠への位置決め＞
図７は、送風ユニットが支持部に組立てられる状態を示す斜視図である。固定子組立体７２０は、固定子ケース７３２によって支持枠７８の保持部７８８へ位置決めされる。そのため、固定子ケース７３２は、外周面上に位置決め部としての、リング７３６、爪７３７および突起７３８を有する。
【００４５】
リング７３６は、穴付位置決め部であり、固定子ケース７３２の円筒部７３４の径方向外側へ突出し、円筒部７３４の接線方向に貫通する穴を有している。爪７３７は、爪付位置決め部であり、略Ｃ字形状を成し、円筒部７３４の外周面から径方向外側へ突出している。突起７３８は、凸状位置決め部であり、円筒部７３４の外周面から径方向外側へ突出している。
【００４６】
支持枠７８の保持部７８８は、前述のリング７３６、爪７３７および突起７３８が差し込まれる差込部として、円柱状突起７８２、スリット７８３および穴７８４を有する。
【００４７】
円柱状突起７８２は、柱状差込部であり前述のリング７３６が差し込まれる。スリット７８３は、スリット状差込部であり前述の爪７３７が差し込まれる。穴７８４は、前述の突起７３８が差し込まれる。なお、位置決めの方法として、作業者は、爪７３７および突起７３８をスリット７８３および穴７８４に位置決めした後、固定子ケース７３２を円周方向にわずかに回転させ、リング７３６を円柱状突起７８２に差し込む。
【００４８】
支持枠７８は、ファン７１の羽部７１４の背面側を覆う背面板７８６と、ファン７１の羽部７１４の下方を覆う下方板７８７とが略Ｌ字状に連結された構造体である。前述の保持部７８８は、支持枠７８のコーナーに形成されており、固定子ケース７３２外周のほぼ半分を保持する。
【００４９】
固定子ケース７３２が、リング７３６、爪７３７および突起７３８によって保持部７８８に位置決めされた後、外周保持板８１が、露出している固定子ケース７３２の外周を覆うように支持枠７８へ取付けられる。取付けられた外周保持板８１は、ネジ８１１で支持枠７８に固定されるが、そのネジ８１１は、リング７３６が差し込まれた円柱状突起７８２に締結される。
【００５０】
＜支持枠の補強構造＞
図８は、支持枠と外周保持板に保持された固定子組立体の断面図である。図８に示すように、外周保持板８１は、固定子組立体７２０の固定子ケース７３２の外周に沿うように湾曲している。
【００５１】
外周保持板８１の一端には、背面板７８６に設けられた開口７８６ａの縁と互いに引っ掛かり合うための鉤部８１ａが形成されている。また、外周保持板８１の他端には、外周保持板８１を下方板７８７にネジ締結するための取付け穴８１ｂが形成されている。そして、取付け穴８１ｂと、固定子ケース７３２のリング７３６と、支持枠７８の円柱状突起７８２とが、ネジ８１１によって締結される。
【００５２】
図９は、外周保持板の鉤部の拡大図である。図９に示すように、鉤部８１ａは、外周保持板８１の湾曲方向とは逆方向に、略Ｕ字形に反り返っている。そして、鉤部８１ａの略Ｕ字形の窪みに、背面板７８６の開口７８６ａの縁が嵌まり込んでいる。
【００５３】
支持枠７８は、断面が略Ｌ字形状の構造体であるため、コーナーの保持部７８８を広げる方向の曲げモーメント、あるいは保持部７８８を縮める方向の曲げモーメントが作用し易く、その曲げモーメントが大きい場合は保持部７８８に亀裂が生じる可能性がある。しかし、本実施形態では、外周保持板８１の鉤部８１ａと取付け穴８１ｂとが、支持枠７８の保持部７８８の変形を防止するので、亀裂は生じない。
【００５４】
例えば、保持部７８８を広げる方向の曲げモーメントが作用すると、背面板７８６が室内ファンモータユニット７２から離れようとする。このとき、背面板７８６の開口７８６ａの縁が、外周保持板８１の鉤部８１ａに引っ掛かっているので、鉤部８１ａが室内ファンモータユニット７２から離れる方向に引っ張られる。しかし、外周保持板８１は取付け穴８１ｂの位置で下方板７８７に固定されているので、鉤部８１ａは移動することができず、結果的に背面板７８６の移動を阻止する。
【００５５】
なお、外周保持板８１は、室内ファンモータユニット７２の外周に沿って湾曲しているので、鉤部８１ａが引っ張られると、外周保持板８１はわずかに弾性変形して反り返り、その内周面が室内ファンモータユニット７２の外周面に当たる。このように、ある程度の弾性変形が許されているので、保持部７８８を広げる方向の曲げモーメントが繰返し作用しても耐えうる耐久性を有している。
【００５６】
また、保持部７８８を縮める方向の曲げモーメントが作用すると、背面板７８６が室内ファンモータユニット７２に近づこうとする。このとき、背面板７８６の開口７８６ａの縁が、外周保持板８１の鉤部８１ａに引っ掛かっているので、鉤部８１ａが室内ファンモータユニット７２に近づく方高に圧縮される。しかし、外周保持板８１は取付け穴８１ｂの位置で下方板７８７に固定されているので、鉤部８１ａは移動することができず、結果的に背面板７８６の移動を阻止する。
【００５７】
なお、外周保持板８１は、室内ファンモータユニット７２の外周に沿って湾曲しているので、鉤部８１ａが圧縮されると、外周保持板８１はわずかに湾曲方向に縮まり、その内周面が室内ファンモータユニット７２の外周面に当たる。このように、ある程度の弾性変形が許されているので、保持部７８８コーナーを縮める方向の曲げモーメントが繰返し作用しても耐え得る耐久性を有している。
【００５８】
＜室内ファンモータユニットの取り外し＞
故障等によって、作業者が、室内ファンモータユニット７２を交換しなければならない場合、先ず、固定子ケース７３２から固定子カバー７３９を外し、次に、固定子７２１を軸方向に抜き取る。このように、外周保持板８１を付けたままの状態で、固定子７２１を外すことができるので、作業性が良い。
【００５９】
＜特徴＞
（１）
この室内機２では、外周保持板８１が、室内ファンモータユニット７２の外周を支持枠７８の保持部７８８とで挟んで保持する。外周保持板８１の一端である鉤部８１ａは支持枠７８の開口７８６ａの縁と互いに係合し、他端である取付け穴８１ｂは支持枠７８の円柱状突起７８２に固定される。仮に、保持部７８８を広げる方向又は縮める方向の外力が作用しても、外周保持板８１が保持部７８８の変形を阻止するので、保持部７８８の亀裂、損傷が防止される。
（２）
この室内機２では、外周保持板８１が、室内ファンモータユニット７２の外周に沿うように形成されているので、外周保持板８１の長手方向に作用する引張力又は圧縮力に対して、外周保持板８１自身が室内ファンモータユニット７２の外周に当たるところまで弾性変形する。その結果、内部応力の一点集中が防止される。このため、引張力又は圧縮力の繰返しに対する耐久力があり、搬送および組立時に作用する外力に対して信頼性が高い。
（３）
この室内機２では、支持枠７８の背面板７８６には、鉤部８１ａが差し込まれる開口７８６ａが設けられており、鉤部８１ａが開口７８６ａに差し込まれることによって、鉤部８１ａと開口７８６ａの縁とが係合する。また、外周保持板８１の取付け穴８１ｂをネジ締結するだけで、支持枠７８、室内ファンモータユニット７２および外周保持板８１の連結が完了する。このため、組立作業性がよい。
（４）
この室内機２では、外周保持板８１が、固定子組立体７２０の固定子ケース７３２の外周に沿うように湾曲し、固定子組立体７２０を保護している。室内機２がユーザー宅に設置されたときに、配管およびホースの取出し方向の影響によって配管やホースが膨らみ、支持枠７８が変形したとしても、固定子組立体７２０の周辺は外周保持板８１によって補強されているので、回転子７１９と固定子７２１との隙間は安定している。このため、信頼性が高い。
【産業上の利用可能性】
【００６０】
以上のように、本発明は、ファン及びファンモータユニットを支持する支持枠の強度が損なわれることなく、ファン及びファンモータが容易に支持枠へ組立てられる構造としており、空調室内機に有用である。
【図面の簡単な説明】
【００６１】
【図１】空気調和装置の外観図
【図２】空気調和装置の冷媒回路の構成図
【図３】空気調和装置の室内機の右側面断面図
【図４】送風ユニットの概略平面図
【図５】支持枠に組立てられたファン及び室内ファンモータユニットの断面図
【図６】固定子組立体の分解斜視図
【図７】送風ユニットが支持枠に組立てられる状態を示す斜視図
【図８】支持枠と外周保持板に保持された固定子組立体の断面図
【図９】外周保持板の鉤部の拡大図
【符号の説明】
【００６２】
２  室内機（空調室内機）
５０  室内熱交換器
７１  ファン
７２  室内ファンモータユニット
７８  支持枠
８１  外周保持板
８１ａ  鉤部（引掛け部）
８１ｂ  取付け穴
７３６  リング（穴付位置決め部）
７８２  円柱状突起（柱状差込部）
７８６ａ  開口
７８８  保持部
【図１】
2008089197.tif 000003
【図２】
2008089197.tif 000004
【図３】
2008089197.tif 000005
【図４】
2008089197.tif 000006
【図５】
2008089197.tif 000007
【図６】
2008089197.tif 000008
【図７】
2008089197.tif 000009
【図８】
2008089197.tif 000010
【図９】
2008089197.tif 000011